(57)【特許請求の範囲】
【請求項１】
住宅内の室内環境制御システムであって、
開閉可能に設けられたトップライトと、このトップライトの下方に設けられたシーリングファンと、開閉可能に設けられた地窓と、室内に設けられたエアコンと、
室内の温度を検出する室内温度検出手段と、
前記トップライト付近の温度を検出する上方温度検出手段と、
外気温度を検出する外気温度検出手段と、
前記トップライトと前記シーリングファンと前記地窓と前記エアコンを制御する制御手段とを備え、
前記制御手段は、
設定温度をＴsetすると、
（１）前記上方温度検出手段によって検出されたトップライト付近の温度が、前記室内温度検出手段によって検出された室内温度より所定温度ｄｔ以上高い場合において、
（１ａ）室内温度≧Ｔsetのとき、前記トップライトと前記地窓を開放し、前記シーリングファンを上向き送風運転し、前記エアコンを停止し、
（１ｂ）室内温度＜Ｔset  かつ  外気温＜Ｔsetのとき、前記トップライトと前記地窓を開放し、前記シーリングファンと前記エアコンを停止し、
（１ｃ）室内温度＜Ｔset  かつ  外気温≧Ｔsetのとき、前記トップライトと前記地窓を閉鎖し、前記シーリングファンと前記エアコンを停止し、
（２）前記上方温度検出手段によって検出されたトップライト付近の温度が、前記室内温度検出手段によって検出された室内温度より所定温度ｄｔ未満低い場合において、
（２ａ）室内温度≧Ｔsetのとき、前記トップライトと前記地窓を開放し、前記シーリングファンを上向き送風運転し、前記エアコンを停止し、
（２ｂ）室内温度＜Ｔsetのとき、前記トップライトと前記地窓を閉鎖し、前記シーリングファンと前記エアコンを停止するものであり、
前記住宅は２階建ての建物であって、平面視矩形状に形成されており、
１階に居間が設けられ、当該居間の上方が２階の天井まで吹き抜けており、
前記住宅の屋根と、吹抜け近傍に位置する前記２階の天井との間に、通風および採光用の通気部が設けられ、
当該通気部の上端に位置する前記屋根に前記トップライトが設けられ、
当該トップライトの直下に前記シーリングファンが設けられ、
前記地窓は、平面視において前記建物の四辺を構成する外壁にそれぞれ設けられており、
前記居間の壁に前記エアコンが固定されており、
前記室内温度検出手段となる温度センサを内蔵したリモコンが、前記居間の壁に、照明スイッチ等とほぼ同じ高さに固定されており、
前記上方温度検出手段となる温度センサが、前記通気部を形成する壁面であって、かつ前記トップライトの下端から１ｍ以内の位置に固定されており、
前記外気温度検出手段となる温度センサが、１階の床下で、かつ風通しのよい場所に設置されており、
前記制御手段は、前記住宅の１階の収納庫に設置されていることを特徴とする室内環境制御システム。
【請求項２】
請求項１に記載の室内環境制御システムにおいて、
下限温度をＴmin、Ｔmin＜Ｔsetとし、
（１）前記上方温度検出手段によって検出されたトップライト付近の温度が、前記室内温度検出手段によって検出された室内温度より所定温度ｄｔ以上高い場合において、
（１ｄ）室内温度≧Ｔsetかつ外気温＜Ｔminのとき、前記トップライトと前記地窓を開放し、前記シーリングファンと前記エアコンを停止することを特徴とする室内環境制御システム。
【請求項３】
請求項１に記載の室内環境制御システムにおいて、
下限温度をＴmin、Ｔmin＜Ｔsetとし、
（２）前記上方温度検出手段によって検出されたトップライト付近の温度が、前記室内温度検出手段によって検出された室内温度より所定温度ｄｔ未満低い場合において、
（２ｃ）室内温度≧Ｔsetかつ外気温＜Ｔminのとき、前記トップライトと前記地窓を開放し、前記シーリングファンを上向き送風運転し、前記エアコンを停止することを特徴とする室内環境制御システム。
【請求項４】
請求項１に記載の室内環境制御システムにおいて、
下限温度をＴmin、Ｔmin＜Ｔsetとし、
（３）室内温度＜Ｔsetかつ外気温＜Ｔminのとき、前記トップライトと前記地窓を閉鎖し、前記シーリングファンと前記エアコンを停止することを特徴とする室内環境制御システム。
【請求項５】
請求項１に記載の室内環境制御システムにおいて、
上限温度をＴmax、Ｔset＜Ｔmaxとし、
（４）室内温度≧Ｔmaxかつ外気温≧Ｔsetのとき、前記トップライトと前記地窓を閉鎖し、前記シーリングファンを下向き送風運転し、前記エアコンを運転することを特徴とする室内環境制御システム。
【請求項６】
請求項１〜５のいずれか一項に記載の室内環境制御システムにおいて、
降雨検出手段を備えており、
前記制御手段は、前記降雨検出手段によって降雨が検出された場合でかつ前記トップライトが開いている場合に、優先して当該トップライトを閉じるように制御することを特徴とする室内環境制御システム。
【発明の詳細な説明】
【技術分野】
【０００１】
本発明は、住宅内に快適な居住環境を作り出す室内環境制御システムに関する。
【背景技術】
【０００２】
トップライト（天窓）と、このトップライトの下方に設けられたシーリングファンを備えた空調設備の一例として、特許文献１に記載のものが知られている。
この空調設備では、室内温度と外気温とによって、シーリングファンの運転と天窓の開閉とを例えば以下のようにして制御している。
すなわち、設定温度をＴ℃とすると、
室内の上下の温度差がＴＤ℃以上の場合において、
室内温度≧Ｔ℃のとき、前記シーリングファンを運転するとともに前記天窓を開放し、
室内温度＜Ｔ℃かつ 外気温＜Ｔ℃のとき、前記シーリングファンを停止するとともに前記天窓を開放し、
室内温度＜Ｔ℃かつ 外気温≧Ｔ℃のとき、前記シーリングファンを停止するとともに前記天窓を閉鎖し、
室内の上下の温度差がＴＤ℃未満の場合において、
室内温度≧Ｔ℃のとき、前記シーリングファンを運転するとともに前記天窓を開放し、
室内温度＜Ｔ℃のとき、前記シーリングファンを停止するとともに前記天窓を閉鎖している。
【先行技術文献】
【特許文献】
【０００３】
【特許文献１】特開２００６−３４９３１８号公報
【発明の概要】
【発明が解決しようとする課題】
【０００４】
ところで、上記のような空調設備の制御では、室内の空気を天窓から排気したり、外気を天窓から取り入れるようにしているが、これに加えて、地窓を設け、この地窓からも外気を取り入れるようにすれば、空気の排気や取り入れを効果的に行うことができる。
しかし、地窓を住人が天窓の開閉やシーリングファンの運転・停止に応じて、開閉するのは煩雑であり、手間がかかる。
【０００５】
本発明は上記事情に鑑みてなされたもので、トップライトと、シーリングファンと、地窓と、室内に設けられたエアコンとを制御することができる室内環境制御システムを提供することを課題としている。
【課題を解決するための手段】
【０００６】
上記課題を解決するために、請求項１に記載の発明は、例えば図１〜図６に示すように、住宅内の室内環境制御システムであって、
開閉可能に設けられたトップライト１と、このトップライト１の下方に設けられたシーリングファン２と、開閉可能に設けられた地窓３と、室内に設けられたエアコン４と、
室内の温度を検出する室内温度検出手段１０と、
前記トップライト付近の温度を検出する上方温度検出手段１１と、
外気温度を検出する外気温度検出手段１２と、
前記トップライト１と前記シーリングファン２と前記地窓３と前記エアコン４を制御する制御手段１６とを備え、
前記制御手段１６は、
設定温度をＴsetとすると、
（１）前記上方温度検出手段１１によって検出されたトップライト付近の温度が、前記室内温度検出手段１０によって検出された室内温度より所定温度ｄｔ以上高い場合において、
（１ａ）室内温度≧Ｔsetのとき、前記トップライト１と前記地窓３を開放し、前記シーリングファン２を上向き送風運転し、前記エアコン４を停止し、
（１ｂ）室内温度＜Ｔset  かつ  外気温＜Ｔsetのとき、前記トップライト１と前記地窓３を開放し、前記シーリングファン２と前記エアコン４を停止し、
（１ｃ）室内温度＜Ｔset  かつ  外気温≧Ｔsetのとき、前記トップライト１と前記地窓３を閉鎖し、前記シーリングファン２と前記エアコン４を停止し、
（２）前記上方温度検出手段１１によって検出されたトップライト付近の温度が、前記室内温度検出手段１０によって検出された室内温度より所定温度ｄｔ未満低い場合において、
（２ａ）室内温度≧Ｔsetのとき、前記トップライト１と前記地窓３を開放し、前記シーリングファン２を上向き送風運転し、前記エアコン４を停止し、
（２ｂ）室内温度＜Ｔsetのとき、前記トップライト１と前記地窓３を閉鎖し、前記シーリングファン２と前記エアコン４を停止するものであり、
前記住宅は２階建ての建物であって、平面視矩形状に形成されており、
１階に居間８が設けられ、当該居間８の上方が２階の天井５まで吹き抜けており、
前記住宅の屋根と、吹抜け近傍に位置する前記２階の天井５との間に、通風および採光用の通気部６が設けられ、
当該通気部６の上端に位置する前記屋根に前記トップライト１が設けられ、
当該トップライト１の直下に前記シーリングファン２が設けられ、
前記地窓３は、平面視において前記建物の四辺を構成する外壁にそれぞれ設けられており、
前記居間８の壁に前記エアコン４が固定されており、
前記室内温度検出手段１０となる温度センサを内蔵したリモコン１５が、前記居間８の壁に、照明スイッチ等とほぼ同じ高さ（床面から１ｍ〜１．５ｍ程度の高さ）に固定されており、
前記上方温度検出手段１１となる温度センサが、前記通気部６を形成する壁面であって、かつ前記トップライト１の下端から１ｍ以内の位置に固定されており、
前記外気温度検出手段１２となる温度センサが、１階の床下で、かつ風通しのよい場所（換気台輪近く）に設置されており、
前記制御手段１６は、前記住宅の１階の収納庫９に設置されていることを特徴とする。
【０００７】
前記設定温度（Ｔset）は、例えば２７℃以上、３０℃未満の所望の値を、ユーザが自由に設定する温度とするが、設定温度の値はこの範囲に限るものではない。
また、設定温度（Ｔset）は、エアコン４の設定温度より高く設定し、
Ｔmin＜Ｔset＜Ｔmaxとする。Ｔminは、寒さ防止のための下限温度であり、デフォルト値は２０℃に設定される。Ｔmaxは、高温防止のための上限温度であり、デフォルト値は３０℃に設定される。
前記ｄｔは、例えば３℃に設定されるが、この値に限るものではない。
【０００８】
請求項１に記載の発明によれば、設定温度、室内温度、外気温に基づいて、制御手段１６がトップライト１の開閉、シーリングファン２の運転・停止、地窓３の開閉、エアコン４の運転・停止を細かく制御できる。
また、シーリングファン２の運転・停止、エアコン４の運転・停止を細かく制御するので、省エネとなる。
【０００９】
請求項２に記載の発明は、請求項１に記載の室内環境制御システムにおいて、
下限温度をＴmin、Ｔmin＜Ｔsetとし、
（１）前記上方温度検出手段１１によって検出されたトップライト付近の温度が、前記室内温度検出手段１０によって検出された室内温度より所定温度ｄｔ以上高い場合において、
（１ｄ）室内温度≧Ｔsetかつ外気温＜Ｔminのとき、前記トップライト１と前記地窓３を開放し、前記シーリングファン２と前記エアコン４を停止することを特徴とする。
【００１０】
請求項２に記載の発明によれば、室内温度が設定温度以上で、かつ外気温が下限値未満で涼しい場合に、トップライト１と地窓３を開放し、シーリングファン２とエアコン４を停止するので、室内が自然空冷となり、シーリングファン２やエアコン４が消費する電力を削減でき、省エネとなる。
【００１１】
請求項３に記載の発明は、請求項１に記載の室内環境制御システムにおいて、
下限温度をＴmin、Ｔmin＜Ｔsetとし、
（２）前記上方温度検出手段１１によって検出されたトップライト付近の温度が、前記室内温度検出手段１０によって検出された室内温度より所定温度ｄｔ未満低い場合において、
（２ｃ）室内温度≧Ｔsetかつ外気温＜Ｔminのとき、前記トップライト１と前記地窓３を開放し、前記シーリングファン２を上向き送風運転し、前記エアコン４を停止することを特徴とする。
【００１２】
請求項３に記載の発明によれば、室内温度が設定温度以上で、かつ、外気温が下限値未満で涼しい場合に、トップライト１と地窓３を開放し、シーリングファン２を上向き送風運転し、エアコン４を停止するので、室内が強制空冷となり、エアコンなしでも、室内温度を速やかに設定温度またはそれ以下に近付けることができる。
【００１３】
請求項４に記載の発明は、請求項１に記載の室内環境制御システムにおいて、
下限温度をＴmin、Ｔmin＜Ｔsetとし、
（３）室内温度＜Ｔsetかつ外気温＜Ｔminのとき、前記トップライト１と前記地窓３を閉鎖し、前記シーリングファン２と前記エアコン４を停止することを特徴とする。
【００１４】
請求項４に記載の発明によれば、室内温度が設定温度未満で、かつ外気温が下限値未満で涼しい場合に、トップライト１と地窓３を閉鎖し、シーリングファン２とエアコン４を停止するので、室が過冷却されるのを防止できるともに、シーリングファン２やエアコン４が消費する電力を削減でき、省エネとなる。
【００１５】
請求項５に記載の発明は、請求項１に記載の室内環境制御システムにおいて、
上限温度をＴmax、Ｔset＜Ｔmaxとし、
（４）室内温度≧Ｔmaxかつ外気温≧Ｔsetのとき、前記トップライト１と前記地窓３を閉鎖し、前記シーリングファン２を下向き送風運転し、前記エアコン４を運転することを特徴とする。
【００１６】
請求項５に記載の発明によれば、室内温度が上限温度以上で、かつ外気温が設定温度以上のときに、トップライト１と地窓３を閉鎖して室内を密閉し、シーリングファン２を下向き送風運転し、エアコン４を運転するので、室内を効果的に撹拌冷房できる。
【００１７】
請求項６に記載の発明は、請求項１〜５のいずれか一項に記載の室内環境制御システムにおいて、
降雨検出手段１３を備えており、
前記制御手段１６は、前記降雨検出手段１３によって降雨が検出された場合でかつ前記トップライト１が開いている場合に、優先して当該トップライト１を閉じるように制御することを特徴とする。
【００１８】
請求項６に記載の発明によれば、制御手段１６が、降雨検出手段１３によって降雨が検出された場合でかつトップライト１が開いている場合に、優先して当該トップライト１を閉じるように制御するので、室内への雨水の浸入を防止できる。
【発明の効果】
【００１９】
本発明によれば、設定温度、室内温度、外気温に基づいて、制御手段がトップライトの開閉、シーリングファンの運転・停止、地窓の開閉、エアコンの運転・停止を細かく制御できる。
また、シーリングファンの運転・停止、エアコンの運転・停止を細かく制御するので、省エネとなる。
【図面の簡単な説明】
【００２０】
【図１】本発明に係る室内環境制御システムの一例を示すもので、システムを構成する構成部材をその位置とともに示す概略図である。
【図２】同、システム構成を示すブロック図である。
【図３】同、室内環境制御システムを備えた住宅の平面図であり、（ａ）は１階の平面図、（ｂ）は２階の平面図である。
【図４】同、トップライトとシーリングファンを示す概略図である。
【図５】同、室内環境制御システムのリモコンを示す正面図である。
【図６】同、温度条件による制御状態を示す表である。
【発明を実施するための形態】
【００２１】
以下、図面を参照して本発明に係る住宅の室内環境制御システムの一例について説明する。
本実施の形態の室内環境制御システムは、図１および図２に示すように、トップライト１、シーリングファン２、地窓３、エアコン４を備えている。
図１および図４に示すように、トップライト１は２階建て住宅の屋根に設けられており、図示しない駆動モータ等によって自動的に開閉されるようになっている。シーリングファン２はトップライト１の直下に設けられている。すなわち図４に示すように、トップライト１と天井５との間には、通風および採光用の通気部６が設けられており、この通気部６においてトップライト１の直下にシーリングファン２が設けられている。また、通気部６の下面にはルーバ７が天井５とほぼ面一に設けられている。ルーバ７は風（空気）や光が通り抜けられるように形成されている。
地窓３は、図１に示すように、下辺部を１階の床面に接した状態で、建物の１階の外壁に設けられており、図示しない駆動モータ等によって自動的に開閉されるようになっている。なお、地窓３は、建物の１階の外壁に複数設けられている。また、建物が平面視矩形状に形成されており、地窓３は、当該建物の、平面視において四辺をそれぞれ構成する外壁にそれぞれ設けられている。
エアコン４は、１階の室の壁に取り付けられており、制御ユニット４ａに接続されている。
【００２２】
また、本実施の形態の室内環境制御システムは、図１および図３に示すように、１階の居間８の上方が２階の天井まで吹き抜けている住宅に設けられるが、これに限らず、少なくとも住宅の一部に１階から２階にかけて吹き抜ける吹抜け部を有する住宅に設けるのが望ましい。例えば、平面視において十字状の吹抜け部を有し、その交差部の上方にトップライトを有する住宅に設けることによって、住宅の各室の室内環境を効果的に制御できる。住宅に平面視において十字状の吹抜け部を設ける場合、例えば、２階に廊下を平面視において十字状に配置し、この廊下を構成する床を上下に通風可能な部材で構成すればよい。
【００２３】
また、前記室内環境制御システムは、室内温度検出手段１０、上方温度検出手段１１、外気温度検出手段１２、降雨検出手段１３、リモコン１５、制御手段１６等を備えている。
前記室内温度検出手段１０は、例えば温度センサ１０によって構成されており、この温度センサ１０は室内環境制御システム用のリモコン１５に内蔵されている。
リモコン１５は制御手段１６に信号線によって接続され、これに内蔵されている温度センサ１０も信号線によって制御手段１６に接続されている。
また、リモコン１５は室内の壁面等に固定されている。例えば図３（ａ）に示すように、住宅の１階の居間８の壁に、照明スイッチ等とほぼ同じ高さ（床面から１ｍ〜１．５ｍ程度の高さ）に固定されている。このリモコン１５に温度センサ１０が内蔵されているので、この温度センサ１０によって居間８の下部の温度を検出できるようになっている。なお、居間８の上方は２階の天井まで吹き抜けている。
【００２４】
上方温度検出手段１１は、例えば温度センサ１１によって構成されており、この温度センサ１１は、図４に示すように、前記通気部６を形成する壁面にトップライト１の下端から１ｍ以内の位置に固定されている。したがって、この温度センサ１１によってトップライト付近の温度を検出することができるようになっている。また、温度センサ１１は、図１および図２に示すように、信号線によって制御手段１６に接続されている。
外気温度検出手段１２は、例えば温度センサ１２によって構成されており、この温度センサ１２は、図１に示すように、１階の床下でかつ風通しのよい場所（換気台輪近く）に設置されている。したがって、この温度センサ１２によって外気温度を検出することができるようになっている。なお、温度センサ１２は、メンテナンス等を容易に行える床下収納庫付近に設置するのが望ましい。また、温度センサ１２は信号線によって制御手段１６に接続されている。
【００２５】
降雨検出手段１３は、例えば降雨センサ１３によって構成されており、この降雨センサ１３は、図１および図４に示すように、トップライト１近くの屋根面に設置されている。したがって、この降雨センサ１３によって降雨の有無を検出できるようになっている。また、降雨センサ１３は信号線によって制御手段１６に接続されている。
エアコン４は居間８の壁に固定されており、このエアコン４には制御ユニット４ａが接続され、この制御ユニット４ａが信号線によって制御手段１６に接続されている。したがって、エアコン４は制御ユニット４ａを介して制御手段１６に接続されている。
【００２６】
制御手段１６は本実施の形態の室内環境制御システムの心臓部を構成するものであり、例えば図３（ａ）に示すように、住宅の１階の収納庫９に設置されている。また、この制御手段１６には、図１、図２および図４に示すように、赤外線発光部１ａ，２ａがそれぞれ信号線によって接続されている。
赤外線発光部１ａは、トップライト１の受光部に当該トップライト１を開閉させるための開閉信号を赤外線によって送信するものであり、前記通気部６を形成する壁面に受光部に対向して固定されている。
赤外線発光部２ａは、シーリングファン２の受光部に当該シーリングファンをON・OFF
するためのON・OFF信号を赤外線によって送信するものであり、前記通気部６を形成する
壁面に受光部に対向して、かつ、前記赤外線発光部１ａより下方位置に固定されている。
なお、前記赤外線発光部１ａ，２ａを制御手段１６に接続する代わりに、制御手段１６に直接有線でトップライト１およびシーリングファン２を接続してもよい。
また、制御手段１６には、図２に示すように、図示しない駆動モータ等によって自動的に開閉される地窓３が直接信号線で接続されており、この地窓３は、制御手段１６からの信号によって、自動的に開閉されるようになっている。
【００２７】
また、前記リモコン１５は、本実施の形態の室内環境制御システムのON・OFF、システム設定温度の設定・変更の際に使用されるもので、図５に示すように、室内環境制御システムのON・OFFを行う運転／停止ボタン１５ａ、システム設定温度の設定・変更を行う温
度ボタン１５ｂ、システム設定温度等を表示する液晶画面１５ｃ等を備えている。
本実施の形態の室内環境制御システムを運転する場合、運転／停止ボタン１５ａを押し、運転／停止ボタン１５ａのランプ１５ｄが点灯するようにし、液晶画面１５ｃに現在の設定温度が表示され、トップライト１、シーリングファン２、地窓３、エアコン４の運転が温度状況に合わせて自動的に制御されるようになっている。
室内環境制御システムを停止させる場合、運転／停止ボタン１５ａを押し、運転／停止ボタン１５ａのランプ１５ｄが消灯するようにし、これによって、液晶画面１５ｃの表示が消え、トップライト１と地窓３を閉じてシーリングファン２とエアコン４を停止するようになっている。
【００２８】
なお、前記リモコン１５の代わりに、温度センサを備えた携帯型のコンピュータを使用して、室内環境制御システムのON・OFFや、システム設定温度の設定・変更を行うようにしてもよい。
また、前記制御手段１６による制御中において、トップライト１、シーリングファン２、地窓３、エアコン４は、それぞれの専用リモコンによってそれぞれ手動操作することができるが、すぐに制御状態に戻るようになっている。したがって、トップライト１、シーリングファン２、地窓３、エアコン４をそれぞれ手動で操作したい場合、前記リモコン１５の運転／停止ボタン１５ａによって本システムを停止させてから、それぞれの専用リモコンによって手動操作する。
【００２９】
また、本実施の形態では、前記制御手段１６に通信手段２０が接続されており、この通信手段２０は、インターネット２１に接続されている。一方、天気情報センターの天気情報サーバ２２がインターネット２１に接続されており、制御手段１６は、この天気情報サーバ２２からインターネット２１、通信手段２０を介して、天気情報を取得できるようになっている。
この天気情報には、本実施の形態の室内環境制御システムを備えた住宅が位置する地域の降雨予測情報、気温予測情報が含まれており、これら情報は時刻に応じた情報となっている。
制御手段１６は、天気情報サーバ２２から取得した天気情報に基づいて、トップライト１および地窓３の開閉を制御するようになっている。例えば、ある時刻に降雨となる天気情報（予測情報）を取得し、その時刻前に、トップライト１や地窓３を予め閉じるように制御する。
【００３０】
次に、夏季において、本実施の形態の室内環境制御システムによって、トップライト１、シーリングファン２、地窓３、エアコン４を制御する方法の一例について図６に示す表を参照しながら説明する。
初期状態では、トップライト１、地窓３は閉鎖されており、シーリングファン２、エアコン４は停止した状態となっている。
まず、リモコン１５の運転／停止ボタン１５ａによって、室内環境制御システムをONとする。これによって、本室内環境制御システムが運転開始されるとともに、エアコン４がONとなる。これは、制御手段１６から制御ユニット４ａに信号が送信され、この制御ユニット４ａからエアコン４にON信号が送信されることによって行われる。
また、システムの設定温度Ｔsetをリモコン１５の温度ボタン１５ｂによって２８℃に設定するとともに、エアコン４の設定温度を、設定温度より低い２７℃に設定する。
【００３１】
次に、夏季における居間８の下部の温度とトップライト付近の温度をそれぞれ温度センサ１０，１１が検出し、これら検出値の差によって温度差（上下温度差）を求める。これは前記制御手段１６に、温度センサ１０，１１による検出値が入力されるので、この制御手段１６によってこれら検出値の差を求めることによって行われる。
まず、本実施の形態では、
（１）温度センサ１１によって検出されたトップライト付近の温度が、温度センサ１０によって検出された室内温度より所定温度ｄｔ（例えば３℃）以上高い場合、つまり、トップライト付近に高温の空気が溜まっている場合に以下のような制御を行う。
【００３２】
（１ａ）室内温度≧Ｔset（２８℃）のとき、制御手段１６がトップライト１と地窓３を開放し、シーリングファン２を上向き送風運転し、エアコン４を停止する。
このような制御は、外気温＜Ｔset、外気温≧Ｔsetの双方の場合で行われる。
外気温＜Ｔsetの場合、図６中、状態番号が「７」で「強制空冷」となる。つまり、外気温が設定温度より低いので、トップライト付近の高温の空気をトップライト１から外部に排出するとともに、地窓３から涼しい外気を取り入れる。
外気温≧Ｔsetの場合、図６中、状態番号が「１１」で「強制排熱」となる。つまり、外気温が設定温度以上であるが、トップライト付近の高温の空気をトップライト１から外部に強制的に排出する。一方、地窓３からは設定温度以上の外気が取り入れられるが、この外気によって、室内が撹拌されるので、高温の空気の淀みを防止できる。
（１ｂ）室内温度＜Ｔset かつ 外気温＜Ｔsetのとき、制御手段１６がトップライト１と地窓３を開放し、シーリングファン２とエアコン４を停止する。
このような制御は、図６中、状態番号が「５」で「自然空冷」となる。つまり、外気温が設定温度より低く、かつ、室内温度が設定温度より低いので、トップライト１と地窓３を開放することによって、涼しい外気をトップライト１や地窓３から穏やかに取り入れる。
（１ｃ）室内温度＜Ｔset かつ 外気温≧Ｔsetのとき、制御手段１６がトップライト１と地窓３を閉鎖し、シーリングファン２とエアコンを停止する。
このような制御は、図６中、状態番号が「９」で「保冷」となる。つまり、室内温度が設定温度より低い一方、外気温が設定温度以上であるので、トップライト１と地窓３を閉鎖し、外気の侵入を防止して、保冷を行う。
（１ｄ）室内温度≧Ｔsetかつ外気温＜Ｔminのとき、制御手段１６がトップライト１と地窓３を開放し、シーリングファン２とエアコン４を停止する。
このような制御は、図６中、状態番号が「３」で「自然空冷」となる。つまり、室内温度が設定温度以上である一方、外気温が下限温度（例えば２０℃）より低いので、トップライト１と地窓３を開放することによって、涼しい外気をトップライト１や地窓３から穏やかに取り入れる。
ここで、Ｔminは、寒さ防止のための下限温度であり、デフォルト値は２０℃に設定される。また、後述するＴmaxは、高温防止のための上限温度であり、デフォルト値は３０℃に設定される。また、Ｔmin＜Ｔset＜Ｔmaxとする。
【００３３】
また、本実施の形態では、
（２）温度センサ１１によって検出されたトップライト付近の温度が、温度センサ１０によって検出された室内温度より所定温度ｄｔ（例えば３℃）未満低い場合、つまり、トップライト付近に高温の空気があまり溜まっていない場合に以下のような制御を行う。
【００３４】
（２ａ）室内温度≧Ｔsetのとき、制御手段１６がトップライト１と地窓３を開放し、シーリングファン２を上向き送風運転し、エアコン４を停止する。
このような制御は、外気温＜Ｔset、外気温≧Ｔsetの双方の場合で行われる。
外気温＜Ｔsetの場合、図６中、状態番号が「６」で「強制空冷」となる。つまり、外気温が設定温度より低いので、トップライト付近の高温の空気をトップライト１から外部に排出するとともに、地窓３から涼しい外気を取り入れる。
外気温≧Ｔsetの場合、図６中、状態番号が「１０」で「強制排熱」となる。つまり、外気温が設定温度以上であるが、トップライト付近の高温の空気をトップライト１から外部に強制的に排出する。一方、地窓３からは設定温度以上の外気が取り入れられるが、この外気によって、室内が撹拌されるので、高温の空気の淀みを防止できる。
（２ｂ）室内温度＜Ｔsetのとき、制御手段１６がトップライト１と地窓３を閉鎖し、シーリングファン２とエアコン４を停止する。
このような制御は、外気温＜Ｔset、外気温≧Ｔsetの双方の場合で行われる。
外気温＜Ｔsetの場合、図６中、状態番号が「４」で「保冷」となる。つまり、室内温度および外気温の双方が設定温度より低いので、トップライト１と地窓３を閉鎖し、外気の侵入を防止して、保冷を行う。
外気温≧Ｔsetの場合、図６中、状態番号が「８」で「保冷」となる。つまり、室内温度が設定温度より低い一方、外気温が設定温度以上であるので、トップライト１と地窓３を閉鎖し、外気の侵入を防止して、保冷を行う。
（２ｃ）室内温度≧Ｔsetかつ外気温＜Ｔminのとき、制御手段１６がトップライト１と地窓３を開放し、シーリングファン２を上向き送風運転し、エアコン４を停止する。
このような制御は、図６中、状態番号が「２」で「強制空冷」となる。つまり、外気温が下限温度より低いので、トップライト付近の高温の空気をトップライト１から外部に排出するとともに、地窓３から涼しい外気を取り入れる。
【００３５】
さらに、本実施の形態では、
（３）室内温度＜Ｔsetかつ外気温＜Ｔminのとき、制御手段１６がトップライト１と地窓３を閉鎖し、シーリングファン２とエアコン４を停止する。
このような制御は、図６中、状態番号が「１」で「過冷却防止」となる。つまり、室内温度が設定温度より低く、外気温が下限温度より低いので、トップライト１と地窓３を閉鎖し、外気の侵入を防止して、これ室の過冷却を防止する。
【００３６】
加えて、本実施の形態では、
（４）室内温度≧Ｔmaxかつ外気温≧Ｔsetのとき、制御手段１６がトップライト１と地窓３を閉鎖し、シーリングファン２を下向き送風運転し、エアコン４を運転する。
このような制御は、図６中、状態番号が「１２」で「撹拌冷房」となる。つまり、室内温度が上限温度以上でかつ外気が設定温度以上であるので、制御手段１６がトップライト１と地窓３を閉鎖して、高温の外気の侵入を防止しつつ、エアコン４を下向き送風運転して、室の空気を撹拌しながら冷房する。
【００３７】
また、上記のような制御中に、前記降雨検出手段１３によって降雨が検出された場合でかつトップライト１が開いている場合、制御手段１６は、優先して当該トップライト１を閉じるように制御する。
さらに、上記のような制御中に、制御手段１６がある時刻に降雨となる天気情報（予測情報）を取得した場合で、かつトップライト１が開いている場合、制御手段１６は、ある時刻になる前に、優先して当該トップライト１を閉じるように制御する。
【００３８】
本実施の形態によれば、設定温度、室内温度、外気温に基づいて、制御手段１６がトップライト１の開閉、シーリングファン２の運転・停止、地窓３の開閉、エアコン４の運転・停止を細かく１４段階で制御できる。
また、シーリングファン２の運転・停止、エアコン４の運転・停止を細かく制御するので、省エネとなる。
さらに、室内温度が設定温度以上で、かつ外気温が下限値未満で涼しい場合に、トップライト１と地窓３を開放し、シーリングファン２とエアコン４を停止するので、室内が自然空冷となり、シーリングファンやエアコンが消費する電力を削減でき、省エネとなる。
加えて、室内温度が設定温度以上で、かつ、外気温が下限値未満で涼しい場合に、トップライト１と地窓３を開放し、シーリングファン２を上向き送風運転し、エアコン４を停止するので、室内が強制空冷となり、エアコンなしでも、室内温度を速やかに設定温度またはそれ以下に近付けることができる。
【００３９】
また、室内温度が設定温度未満で、かつ外気温が下限値未満で涼しい場合に、トップライト１と地窓３を閉鎖し、シーリングファン２とエアコン４を停止するので、室が過冷却されるのを防止できるともに、シーリングファン２やエアコン４が消費する電力を削減でき、省エネとなる。
また、室内温度が上限温度以上で、かつ外気温が設定温度以上のときに、トップライト１と地窓３を閉鎖して室内を密閉し、シーリングファン２を下向き送風運転し、エアコン４を運転するので、室内を効果的に撹拌冷房できる。
また、制御手段１６が、降雨検出手段１３によって降雨が検出された場合でかつトップライト１が開いている場合に、優先して当該トップライト１を閉じるように制御するので、室内への雨水の浸入を防止できる。
さらに、温度センサ（室内温度検出手段）１０がリモコン１５に内蔵されているので、温度センサ専用の設置スペースが必要なく、しかも、温度センサ１０をリモコン１５の筺体によって保護できる。
また、外気温度検出手段１２が１階の床下でかつ風通しのよい場所に設置されているので、正確な外気温度を検出できる。
【符号の説明】
【００４０】
１  トップライト
２  シーリングファン
３  地窓
４  エアコン
１０  温度センサ（室内温度検出手段）
１１  温度センサ（上方温度検出手段）
１２  温度センサ（外気温度検出手段）
１３  降雨センサ（降雨検出手段）
１６  制御手段
【図１】
0005629192.tif 000002
【図２】
0005629192.tif 000003
【図３】
0005629192.tif 000004
【図４】
0005629192.tif 000005
【図５】
0005629192.tif 000006
【図６】
0005629192.tif 000007